(57)【特許請求の範囲】
【請求項１】
遊技機本体の前面に開閉可能に設けられた前面枠に球発射装置へ１条の球誘導路を有する球誘導樋を介して供給する遊技球を一時的に貯留する球受け皿が設けられた遊技機であって、
前記球受け皿の下流端に設けられ遊技球を奥行き方向に２列に整列させる整流部と、
前記球受け皿と球誘導樋のいずれか一方に形成され、前記２列に整流された整流部から１条の球誘導路に向けて流下する遊技球を誘導する一対の球誘導壁と、
前記整流部の下流端近傍に回転可能に軸支され、周方向に凹凸形状を有する羽根が軸方向に２か所で互いに位相がずれた状態で形成されており、遊技球の球圧により回転して前記球誘導路へ遊技球を１個ずつ流下させる回転体と、を具備し、
前記整流部には、各球誘導壁から遊技球の直径分だけオフセットした直線どうしが交わる交点より上流側に形成され、前記整流部内において互いに当接する遊技球に接触することなくこれらの間に形成された空間部に収まる範囲で形成された整流突部が設けられていることを特徴とする遊技機。
【請求項２】
前記整流突部は、少なくとも遊技球１個分の直径より長く設定された突条形状である請求項１記載の遊技機。
【請求項３】
前記球受け皿の傾斜底部には、下流端より上流側に向かって少なくとも遊技球１個分の直径より長く前記傾斜底部より前記整流突部の高さ分だけ低くなる段部が両側に形成されることにより、突条が形成されている請求項１又は２記載の遊技機。
【発明の詳細な説明】
【技術分野】
【０００１】
本発明は、遊技機に関する。
【背景技術】
【０００２】
パチンコ機などの遊技機には、遊技機本体の背面上辺部に設けられる貯留タンクにホールの島から遊技球が供給される。貯留タンクに供給された遊技球は、タンクレールを通じて遊技機本体の側部に沿って上下方向に配置された球通路に整列して誘導され、当該球通路内を流下して球払出装置へ供給される。球払出装置は、払出指令に応じて所定数の貸球や賞球などの遊技球が球払出通路を経て球受け皿へ払い出されるようになっている。
【０００３】
球受け皿に一時的に貯留された貸し球，賞球などの遊技球は、球受け皿の下流側で一列に整列されて整流器へ流下し、整流器から下方に設けられた遊技機本体に設けられた球発射装置の発射位置へ整列して送り込まれる（特許文献１；図１１参照）。
また、球受け皿に一時的に貯留する遊技球の個数を増やすため、球受け皿の下流側に、遊技球の直径より僅かに大きな幅の球通路を隔壁で仕切ることで２列に整列させて流下させる遊技機も提案されている（特許文献２；図５参照）。
【先行技術文献】
【特許文献】
【０００４】
【特許文献１】特開２００７−３３０５４７号公報
【特許文献２】特開２００８−２８９７８５号公報
【発明の開示】
【発明が解決しようとする課題】
【０００５】
近年、安価な貸し球で遊技できるパチンコ機が実用化されており、かかる機種においては、貸し球，賞球などの球受け皿に貯留する遊技球の数が多くなる。よって、球受け皿の容積を拡大したいという現実的なニーズがある。
しかしながら、球受け皿の下流端では、遊技球を１列乃至は２列に整列させて流下させているが、球受け皿の下流端の幅は遊技球１個分乃至は２個分の幅に規定されてしまうため、遊技球の貯留量の増加は限られたものとなる。よって球受け皿の底面積の増加による容積拡大も限界がある。
【０００６】
また、図柄表示装置（液晶表示装置）の大型化やセンター役物の大型化などの遊技領域の拡大によって、前面枠の窓部より下方に設けられる球受け皿の位置も下げたいというニーズもあるが、球受け皿から整流器を介して球発射装置に向けて遊技球を自重により流下させて供給する構造が採用されているため、前面枠に設けられる球受け皿の高さ方向の位置を下方に下げるには限界がある。
【０００７】
本発明の目的は、上記実情に鑑みてなされたものであり、球受け皿の底面積拡大により遊技球の貯留量を拡大しつつも遊技球を確実に整流し球発射装置へ送り出すことができかつ球受け皿を前面枠のより下方に配置することができる遊技機を提供することにある。
【課題を解決するための手段】
【０００８】
本発明は上記目的を達成するため、次の構成を備えることを特徴とする。
遊技機本体の前面に開閉可能に設けられた前面枠に球発射装置へ１条の球誘導路を有する球誘導樋を介して供給する遊技球を一時的に貯留する球受け皿が設けられた遊技機であって、前記球受け皿の下流端に設けられ遊技球を奥行き方向に２列に整列させる整流部と、前記球受け皿と球誘導樋のいずれか一方に形成され、前記２列に整流された整流部から１条の球誘導路に向けて流下する遊技球を誘導する一対の球誘導壁と、前記整流部の下流端近傍に回転可能に軸支され、周方向に凹凸形状を有する羽根が軸方向に２か所で互いに位相がずれた状態で形成されており、遊技球の球圧により回転して前記球誘導路へ遊技球を１個ずつ流下させる回転体と、を具備し、前記整流部には、各球誘導壁から遊技球の直径分だけオフセットした直線どうしが交わる交点より上流側に形成され、前記整流部内において互いに当接する遊技球に接触することなくこれらの間に形成された空間部に収まる範囲で形成された整流突部が設けられていることを特徴とする。
【０００９】
前記整流突部は、少なくとも遊技球１個分の直径より長く設定された突条形状であることを特徴とする。
【００１０】
前記球受け皿の傾斜底部には、下流端より上流側に向かって少なくとも遊技球１個分の直径より長く前記傾斜底部より前記整流突部の高さ分だけ低くなる段部が両側に形成されることにより、突条が形成されていることを特徴とする。
【発明の効果】
【００１１】
上述した遊技機を用いれば、球受け皿の底面積が規定されるのは整流部が設けられる下流端のみであるので、球受け皿内の遊技球を整流させるための膨出部を小さく形成し、球受け皿の底面積を上流端から下流端に至るまで拡大して遊技球の貯留量を増やすことができる。
【００１２】
また、整流突部によって、２列に整流された遊技球を確実に回転体の羽根に接触させることで、位相がずれた羽根の凹凸で遊技球を交互に一対の球誘導壁に当接させることができるので、球がみ等の不具合が起きることなくスムーズに遊技球を球誘導路に１個ずつ誘導することができる。
また、整流部に遊技球が１個のみ流下してきた場合でも、整流突部により２か所の羽根のいずれか一方の羽根側に誘導されるので、羽根の間に挟まることがない。
また、回転体は球圧により回転体を回転させているので、駆動源や駆動伝達機構などの部品点数を減らし小型化することができ、球受け皿の貯留量を増やすことにも寄与できるとともに貸球や返却等のスイッチ類を配置する自由度を高めることもできる。
【００１３】
また、整流突部は、整流部内において互いに当接する遊技球に接触することなくこれらの間に形成された空間部に収まる範囲で形成されているので、整流部で２列に整列された遊技球が整流突部を含む３点接触することにより球詰まりするのを防いで遊技球をスムーズに流下させることができる。尚、整流突部は、整流部内において互いに当接する遊技球に偏りが生じていずれか一方の側壁に遊技球が当接した状態においても遊技球と接触しない形状が望ましい。
【００１４】
また、整流突部は、少なくとも遊技球１個分の直径より長く設定された突条形状であると、球受け皿を流下した遊技球が整流部において突条により２列に整列させることができる。また、球受け皿の傾斜底部には、下流端より上流側に向かって少なくとも遊技球１個分の直径より長く傾斜底部より整流突部の高さ分だけ低くなる段部が両側に形成されることにより突条が形成されていると、球受け皿を流下した遊技球は段部により確実に２列に整列させることができる。
【００１５】
以上により、球受け皿の底部を低くすることで高さ方向の容積を拡大して遊技球の貯留量を増やすことができ、しかも前面枠における球受け皿の位置を下げることで、遊技領域の拡大という要請に応えることもできる。
【図面の簡単な説明】
【００１６】
【図１】パチンコ機の斜視図である。
【図２】球受け皿の平面図である。
【図３】図２の矢印Ａ−Ａ断面図である。
【図４】図２の矢印Ｂ−Ｂ断面図である。
【図５】図２の矢印Ｃ−Ｃ断面図である。
【図６】球誘導樋及び球発射装置の平面図及び矢印Ｄ−Ｄ断面図である。
【図７】球受け皿の下流端の平面図及び整流部の矢印Ｅ−Ｅ断面図である。
【図８】球誘導樋の上流端の斜視図である。
【図９】回転体の正面図、平面図、斜視図である。
【図１０】他例に係る球受け皿の下流端の平面図及び整流部の矢印Ｅ−Ｅ断面図である。
【図１１】他例に係る整流部の断面説明図である。
【発明を実施するための形態】
【００１７】
以下、本発明の実施形態について図面を参照しながら具体的に説明する。
図１を参照して本実施形態に係る遊技機の概略構成について説明する。本実施例としては、遊技機の一例としてパチンコ機について説明するものとする。
【００１８】
先ずパチンコ機１の概略構成について説明すると、図１において、パチンコ機１の外形をなす矩形状の外枠２の側部に対してヒンジ（図示せず）により内枠３が開閉可能に取り付けられ、該内枠３の側部に対して上ヒンジ部４ａ，下ヒンジ部４ｂ（図示せず）により前面枠５が開閉可能に取り付けられている。前面枠５には窓部５ａに内枠３に設けられる遊技盤の遊技領域を視認する透明板５ｂが組み付けられている。
【００１９】
パチンコ機本体の前面側であり遊技領域の下方には当該遊技領域へ向かって遊技球を発射する球発射装置６（図３参照）が組み付けられている。また、遊技盤の遊技領域は、ガイドレールによって全体として円形に形成され、その遊技領域には図柄表示装置（液晶表示装置）、電動チューリップ，アタッカーなどの入賞装置等が設けられている。ここで、パチンコ機本体とは、パチンコ機前面を覆う窓部５ａが形成された前面枠５を除く部位、例えば外枠２、内枠３、遊技盤などを含む部位をいうものとする。
【００２０】
また、図１において、前面枠５の上辺部に沿ってスピーカーやＬＥＤ等の演出装置７が設けられている。また、前面枠５の下方には貸球や賞球等の遊技球を一時的に貯留し、該遊技球を球発射装置へ誘導する球受け皿８が一体に設けられている。球受け皿８の右側には、球発射装置６によって遊技領域へ発射される遊技球の発射力を調節するための発射ハンドル９が設けられている。球受け皿８の前面には遊技球をドル箱に排出させるための球抜きレバー１０が設けられている。
【００２１】
図１において、内枠３の背面側上辺部には貯留タンク１１が設けられ、貯留タンク１１にはパチンコ機１が配置されたホールの島から遊技球が供給される。貯留タンク１１に供給された遊技球は、図示しないタンクレールを介して球払出装置に供給され、該球払出装置より払い出された貸球、賞球等の遊技球は、球払出口１２（図３参照）を通じて球受け皿８へ払い出される。
【００２２】
ここで、球受け皿８から球発射装置６に至るまでの球通路の構成について、図２乃至図６を参照して説明する。
図２において、球受け皿８は前面枠５の背面側に設けられた当板１３（ベース部材）に設けられている、図３において、球受け皿８は、球払出口１２が設けられた上流端８ａ（正面視左端部）より下流端８ｂ（正面視右端部）に向かって下りになるような傾斜底部８ｃが形成されている。球受け皿８の下流端８ｂは、貯留された遊技球Ｙを複数列で下流端へ流下させる流路幅に形成されているため、球受け皿８に一時的に貯留する遊技球の貯留量を増やすことができる。また、図３に示すように傾斜底部８ｃの下流端８ｂには、ガイド壁８ｄに覆われて開口部８ｅが設けられている。傾斜底部８ｃには、球抜きレバー１０の操作により開閉する球抜き口８ｇが設けられている。球抜き口８ｇの直下には球排出口８ｆが形成されている。
【００２３】
また、図３に示すように、当板１３には球受け皿８の開口部８ｅに接続する球誘導樋１４が設けられている。図６（ａ）に示すように、球誘導樋１４は球受け皿８の開口部８ｅから流下した遊技球を１条設けられた球誘導路１４ａを流下させる。
【００２４】
また、図３において、球誘導樋１４の下流端には、駆動源により回転駆動される駆動回転体１５が設けられている。駆動回転体１５は、球誘導路１４を流下した遊技球Ｙを取込位置Ｐで凹部１５ａ，１５ｂに交互に収容してそれより高い送出位置Ｑへ揚送する。ここで、揚送とは、現在の位置より高さ方向に高い位置へ送ることをいう。
【００２５】
また、駆動回転体１５は球誘導路１４ａの上方で回転軸１５ｃを中心に回転駆動される。駆動回転体１５の周面には遊技球Ｙを個別に収容する凹部１５ａ，１５ｂが、回転方向で１８０度位相差を設けて形成されている。凹部１５ａ，１５ｂは、遊技球Ｙを１個ずつ収容することができる大きさに形成されている。
【００２６】
図３において、球誘導樋１４（球誘導路１４ａ）を流下した遊技球Ｙが凹部１５ａ，１５ｂに取り込まれる取込位置Ｐからそれより高さ方向で高い位置に設けられた送出位置Ｑまで駆動回転体１５の回転動作により揚送され、当該送出位置Ｑで凹部１５ａ，１５ｂに収容された遊技球Ｙが球発射装置６へ向けて送り出される。凹部１５ａ，１５ｂは、送出位置Ｑにおいて収容した遊技球を送り出すための傾斜面１５ｄが形成されている（図６（ｂ）参照）。
【００２７】
図６（ａ）において、駆動回転体１５の回転軸１５ｃには伝達歯車１６が一体に組み付けられている。伝達歯車１６は、モータ１７のモータ軸１７ａに設けられたモータ歯車１８と噛み合っている。駆動回転体１５の回転速度や回転位置は、伝達歯車１６に形成された円環状の起立壁１６ａの切欠位置をフォトセンサ２８により検出することで制御される。
【００２８】
図６（ｂ）において、モータ１７は、モータ取付部材１９にねじ２０によって組み付けられている。また、モータ取付部材１９には、モータカバー２１がねじ２２によって組み付けられている。モータ取付部材１９はねじ２３により球誘導樋１４に組み付けられている（図６（ａ）参照）。
【００２９】
図６（ｂ）に示すように、駆動回転体１５により送出位置Ｑまで掬い上げられた遊技球Ｙは、駆動回転体１５の更なる回転により傾斜面１５ｄが形成された凹部１５ａ（若しくは凹部１５ｂ）から転がり落ちて当板１３の開口部１３ａを通過して背面側に設けられた供給路２４を通じてパチンコ機本体側に設けられる発射位置Ｒに導かれる（図３参照）。発射位置Ｒに供給された遊技球は、球発射装置６に具備する駆動源（ロータリソレノイド若しくはモータ）により回転駆動する槌６ａにより打撃されて、発射ガイド２５を通じて遊技領域に向けて発射される。
【００３０】
また、図３において、球誘導樋１４の下流端に設けられた取込位置Ｐには、球抜きレバー１０の操作に連動して開閉するシャッター２６が設けられている。シャッター２６は、球誘導路１４ａの一部を構成するものである。シャッター２６の下方には当該シャッター２６を開放した際に球誘導路１４ａと一端が連通する球抜き通路２７が設けられている。球抜き通路２７の他端は、球受け皿８の底部に設けられた球排出口８ｆと連通している。球抜きレバー１０を操作すると、開放された球抜き口８ｇより落下した遊技球及びシャッター２６が開放されて球誘導路１４ａから球抜き通路２７を流下した遊技球が、球排出口８ｆより図示しないドル箱に回収できるようになっている。
【００３１】
次に、球受け皿８の下流端の構成について図４乃至図９を参照して説明する。
図７（ａ）において、球受け皿８の傾斜底部８ｃの下流端８ｂには整流部２９が設けられている。整流部２９は、球受け皿８を流下した遊技球Ｙを下流端８ｂにおいて奥行き方向に複数列（図２では２列）に整列させる。
また、図８において、整流部２９に連なる球誘導樋１４の上端には、２列に整列された遊技球Ｙを１球ずつ交互に球誘導樋１４に向けて流下させる球誘導壁１４ｄが両側に形成されている。尚、球誘導壁１４ｄは球受け皿８側に設けられていてもよい。
【００３２】
図７（ａ）に示すように整流部２９は、各球誘導壁１４ｄから遊技球の直径Ｄ分だけオフセットした直線Ｌ１，Ｌ２どうしが交わる交点Ｘより上流側に整流突部２９ａが形成されている。整流部２９の間隔、即ち球受け皿８の下流端８ｂの側壁８ｊと側壁８ｉとの幅は遊技球Ｙの直径をＲとすると（２Ｒ＋α）となるように形成されている。
また、図５において、球受け皿８の下流端８ｂ近傍には、２列に整列された遊技球Ｙの球圧により回転して球誘導樋１４へ１個ずつ流下させる回転体３０が設けられている。
【００３３】
図３において、整流突部２９ａの上流側には、球受け皿８を流下した遊技球Ｙが１個以上に積み上がるのを防ぐ天板８ｋが球受け皿８の傾斜底部８ｃに対向して設けられている。この天板８ｋが設けられていると、球受け皿８の下流端８ｂで遊技球Ｙが積み上がってロック状態になることを防ぐことができる。
【００３４】
整流部２９には、図７（ａ）に示すように、回転体３０（羽根３０ａ，３０ｂ）より上流側であって遊技球Ｙの半径（Ｄ／２）より低い高さを有する円錐状の整流突部２９ａが形成されている（図５参照）。整流突部２９ａの形状は、下流端８ｂで遊技球を整列させることができれば円錐状に限らず円錐台や突条など様々な形態であってもよい。更には、図７（ｂ）に示すように、２列に整流された遊技球Ｙどうしが当接した状態で、整流突部２９ａが遊技球Ｙに当接しない形状であることが好ましい。すなわち、整流突部２９ａは、互いに当接する遊技球Ｙに接触することなくこれらの間に形成された空間部に収まる範囲で形成されているのが望ましい。尚、整流突部２９ａは、整流部２９内において互いに当接する遊技球Ｙに偏りが生じていずれか一方の側壁８ｊ，８ｉに遊技球Ｙが当接した状態においても遊技球Ｙと接触しない形状が望ましい。これにより、整流部２９で２列に整列された遊技球Ｙが整流突部２９ａを含む３点接触することにより球詰まりするのを防いで遊技球Ｙをスムーズに流下させることができる。
【００３５】
また、回転体３０は、図４及び図５に示すように、羽根３０ａ，３０ｂが回転軸３０ｃを中心として軸方向で２か所に回転方向に位相がずれた状態で組み付けられている。回転軸３０ｃは、球受け皿８の下流端８ｂにおいて、当板１３と球誘導樋１４との間に架設されている。回転体３０は、羽根３０ａ，３０ｂが中心筒３０ｄの周囲に一体に形成されている。中心筒３０ｄの軸孔は、回転軸３０ｃに嵌め込まれて回転可能に支持される。回転体３０は、遊技球Ｙが流下する方向と直交する回転軸３０を中心に球圧により回転可能に軸支されている。
【００３６】
図９（ａ）〜（ｃ）に示すように羽根３０ａ，３０ｂは、鈍角状の凹部３０ｅが突起部３０ｆを介して交互に形成されている。羽根３０ａと羽根３０ｂとでは、軸方向に凹部３０ｅと突起部３０ｆの位置が重なり合うように、中心筒３０ｄの周方向で位相をずらせて形成されている。図５に示すように、整流部２９で２列に整列された遊技球Ａ，Ｂを球圧により回転する回転体３０により開口部８ｅを通じて球誘導樋１４の球誘導路１４ａへ交互に流下させることができる。
【００３７】
図８において、羽根３０ｂの直下に相当する球誘導樋１４の上流端には球誘導路１４ａの底部より高さが高く球受け皿８の傾斜底部８ｃより高さが低い段差部１４ｂが形成されている。整流部２９で２列に並んだ遊技球の整列状態が開口部８ｅの直下に形成された段差部１４ｂにより崩されるので球誘導樋１４が遊技球で満たされても羽根３０ａ，３０ｂによる球噛みが発生することもない。段差部１４ｂの近傍には、遊技球を球誘導路１４ａに導くためのガイド突部１４ｃが突設されている。
【００３８】
図３において、球払出口１２より球受け皿８の上流端８ａに払い出された貸し球、賞球などの遊技球Ｙは傾斜底部８ｃに沿って流下し、天板８ｋで積み上がりを防止されつつ整流部２９へ案内される。図７（ａ）に示す下流端８ｂにおいて整流突部２９ａで２列に整列されて球圧により回転する回転体３０の羽根３０ａ（３０ｂ）により球誘導壁１４ｄに案内されて１個ずつ開口部８ｅへ流下する。開口部８ｅより球誘導樋１４へ流下した遊技球は、図８に示すように自重により球誘導路１４ａを流下する。また、段差部１４ｂに流下した遊技球も球誘導路１４ａへ落下して流下する。
【００３９】
このように、整流突部２９ａが回転体３０より遊技球Ｙの流下方向上流側に設けられるため、例えば遊技球Ｙが１個ずつ流下した場合でも整流突部２９ａにより２列に整列されるいずれか一方の羽根側へ誘導される。これにより、軸方向に２か所で互いに位相がずれた状態で形成された羽根３０ａ，３０ｂの間（図９（ａ）参照）に遊技球Ｙが噛み込まれることはなくなる。また、遊技球Ｙが球誘導路１４ａを満たした状態でも、２列に整列された遊技球Ｙが段差部１４ｂにより高さ方向において球崩れが生ずるので球噛みが発生することもない。
【００４０】
図３において、球誘導路１４ａを流下した先頭の遊技球は、停止している駆動回転体１５に堰き止められて取込位置Ｐで待機している。遊技者が発射ハンドル９を操作することでモータ１７を起動して、駆動回転体１５が取込位置Ｐから時計回り方向（図３参照）に回転すると、遊技球Ｙは取込位置Ｐで凹部１５ａに収容されて送出位置Ｑまで掬い上げられる。これにより、球誘導路１４ａを流下した次の遊技球が駆動回転体１５の周面に当接して待機する。
【００４１】
更に、モータ１７が同方向に回転して初期位置から所定角度回転すると、図６（ｂ）に示すように送出位置Ｑにおいて駆動回転体１５の凹部１５ａから掬い上げられた遊技球Ｙが開口部１３ａを経て供給路２４へ転がり落ち、発射位置Ｒへ誘導される（図３参照）。また、球誘導樋１４ａを流下した先頭の遊技球は取込位置Ｐにおいて駆動回転体１５の凹部１５ｂに収容され、同様に送出し位置Ｑへ掬いあげられる。
【００４２】
このように、球発射装置６への遊技球の送出位置Ｑより遊技球が駆動回転体１５の凹部１５ａ，１５ｂに取り込まれる取込位置Ｐが低いので、球受け皿８の底部を下げることが可能となる。よって、球受け皿８の底部を低くすることで高さ方向の容積を拡大して遊技球の貯留量を増やすことができ、しかも前面枠５における球受け皿８の位置を下げることで、遊技領域の拡大という要請に応えることもできる。
尚、遊技球Ｙを球発射装置６に向けて自重により流下させる場合には、駆動回転体１５は省略することも可能である。
【００４３】
次に、整流部２９の他例について図１０及び図１１を参照して説明する。
球受け皿８や球誘導樋１４の構造は同様であるので、異なる構成を中心に説明する。図１０（ａ）において、整流部２９には、整流突部２９ａに替えて突条部２９ｂが設けられている。突条部２９ｂは、各球誘導壁１４ｄから遊技球の直径Ｄ分だけオフセットした直線Ｌ１，Ｌ２どうしが交わる交点Ｘより上流側に遊技球１個分の直径Ｄより長く遊技球２個分の直径より短い長さＭ（２Ｄ＞Ｍ＞Ｄ）となるように形成されている。突条部２９ｂの長さは、長すぎると球受け皿８の底面積を制限する形態となるため、遊技球Ｙを２列に整流するために必要最小限あればよい。
【００４４】
また、図１０（ｂ）に示すように、突条部２９ｂは、遊技球Ｙの半径（Ｄ／２）より低い高さを有し、互いに当接する遊技球Ｙに接触することなくこれらの間に形成された空間部に収まる範囲で形成されているのが望ましい。これにより、整流部２９で２列に整列された遊技球Ｙが突条部２９ｂを含む３点接触することにより球詰まりするのを防いで遊技球Ｙをスムーズに流下させることができる。
【００４５】
また、図１１（ａ）において、整流部２９の一例である整流突部２９ａは、球受け皿８の傾斜底部８ｃの下流端８ｂに限らず、球受け皿８の傾斜底部８ｃと対向配置された天板８ｋに設けられていても良い。
また、図１１（ｂ）において、球受け皿８の傾斜底部８ｃには、下流端８ｂより上流側に向かって少なくとも遊技球Ｙ１個分の直径Ｄより長く傾斜底部８ｃより整流突部２９ａの高さ分だけ低くなる段部８ｌが両側に形成されることにより、突条が形成されていても良い。
上記いずれの態様であっても、遊技球Ｙを球受け皿８の下流端８ｂにおいて２列に整流させることができる。
【００４６】
上述した各実施形態では、遊技機の一例としてパチンコ機について説明したが、他の遊技機、例えば、遊技球を用いてスロットマシンを作動させるパロットや、雀球遊技機やアレンジボール遊技機などに適用してもよい。
尚、パロットに適用する場合、球誘導樋１４（球誘導路１４ａ）に所定数の遊技球が貯留されているか否かを検出する検出スイッチ（近接スイッチ、近接センサ等）を設けてもよい。
また、前面枠に球受け皿が一体に設けられる遊技機に限定されるものではなく、上下に分割された前面枠の各々に球受け皿が設けられた遊技機であってもよい。
【符号の説明】
【００４７】
１  パチンコ機
２  外枠
３  内枠
４ａ  上ヒンジ部
４ｂ  下ヒンジ部（図示せず）
５  前面枠
５ａ  窓部
５ｂ  透明板
６  球発射装置
６ａ  槌
７  演出装置
８  球受け皿
８ａ  上流端
８ｂ  下流端
８ｃ  傾斜底部
８ｄ  ガイド壁
８ｅ，１３ａ  開口部
８ｆ  球排出口
８ｇ  球抜き口
８ｊ，８ｉ  側壁
８ｋ  天板
８ｌ  段部
８ｍ  リブ状突起（突条部）
９  発射ハンドル
１０  球抜きレバー
１１  貯留タンク
１２  球払出口
１３  当板
１４  球誘導樋
１４ａ  球誘導路
１４ｂ  段差部
１４ｃ  ガイド突部
１４ｄ  球誘導壁
１５  駆動回転体
１５ａ，１５ｂ  凹部
１５ｃ  回転軸
１５ｄ  傾斜面
１６  伝達歯車
１６ａ  起立壁
１７  モータ
１７ａ  モータ軸
１８  モータ歯車
１９  モータ取付部材
２０，２２，２３  ねじ
２１  モータカバー
２４  供給路
２５  発射ガイド
２６  シャッター
２７  球抜き通路
２８  フォトセンサ
２９  整流部
２９ａ  整流突部
２９ｂ  突条部
３０  回転体
３０ａ，３０ｂ  羽根
３０ｃ  回転軸
３０ｄ  中心筒
３０ｅ  凹部
３０ｆ  突起部
Ｐ  取込位置
Ｑ  送出位置
【図１】
0005438580.tif 000002
【図２】
0005438580.tif 000003
【図３】
0005438580.tif 000004
【図４】
0005438580.tif 000005
【図５】
0005438580.tif 000006
【図６】
0005438580.tif 000007
【図７】
0005438580.tif 000008
【図８】
0005438580.tif 000009
【図９】
0005438580.tif 000010
【図１０】
0005438580.tif 000011
【図１１】
0005438580.tif 000012